(57)【特許請求の範囲】
【請求項１】
本体の内部に弾発部材により常時後方に弾発支持された筆記具先端を有するレフィールを配し、前記レフィールに凸部を設け、前記本体の内周面には誘導溝が設けられ、前記誘導溝により誘導されるように回転カムの突起を配設し、前記回転カムの後方、前記誘導溝内には摺動カムの突起を配置させ、更に前記摺動カムの後方には前端部が摺動カムに当接した回転変換部材を配置し、前記レフィールは、前記回転カム、摺動カム、回転変換部材を挿通し、更に前記回転変換部材の外周には内壁に回転凸部を設けた回転操作体を配置した筆記具であって、前記回転変換部材の表面には変換凸部が本体の切欠き窓に位置し、切欠き窓を覆い隠し回転自在に回転操作体を設け、前記回転操作体に回転を与えると回転凸部と変換凸部が少なくとも筆記具先端が突出及び収納作動時、両者が当接することにより、前記回転変換部材が前方に押圧され、摺動カムを押圧し前端が前記凸部に当接している回転カムを回転させながら前方に押圧し、レフィールの筆記具先端を露呈及び収納することを特徴とする筆記具。
【請求項２】
本体の回転変換部材の外周に回転操作体を配置し、回転操作体の内周面に回転凸部を設け、前記回転凸部の高さを前記本体の配置部分の肉厚より小さくして回転凸部を切欠き窓のある部分にのみ作用するようにしたことを特徴とする請求項１に記載した筆記具。
【請求項３】
本体を２部品とし、回転操作体の内周面に２ヶ所以上の回転誘導片を設け、前記回転誘導片の少なくとも一方を本体の２部品で回転操作体を回転可能に挟着保持したことを特徴とする請求項１又は請求項２に記載した筆記具。
【請求項４】
回転操作体の左右方向どちらでも回転変換部材が作用するような変換凸部を設けたことを特徴とする請求項１又は請求項２又は請求項３に記載した筆記具。
【発明の詳細な説明】
【０００１】
【産業上の利用分野】
本願発明は、筆記具本体の軸線に対して垂直面に回転させる部材により筆記具本体（レフィール）を押圧することによって筆記具先端を外装本体から露呈させる筆記具に関するものである。
【０００２】
【従来の技術】
従来より回転操作により筆記具先端を外装体より露呈する発明・考案は多数存在する。また出願だけでなく商品としても、特に複合筆記具、多芯を収納した筆記具等が存在している。例えば先願としては、実公平１−２１８３５号（以下、（イ）とする。）、実公平１−２３８３４号（以下、（ロ）とする。）、実公平２−１７９１６号（以下、（ハ）とする。）、実公平２−１９２７２号（以下、（ニ）とする。）、実公平４−３９０３１号（以下、（ホ）とする。）、実公平４−４２１５４号（以下、(へ)とする。）、実公平７−３２１３７号（以下、（ト）とする。）等が存在する。
【０００３】
（イ）は、シャープペンシルを多数軸筒に収納した多芯タイプの筆記具であり、軸筒を２部品の先部軸筒と後部軸筒とし、後部軸筒に回転カムを固着しており、この回転カムの両傾斜面に係止部を設け、鉛芯を外筒外へ繰出せる移動距離を有する第２の傾斜面を設けたものである。この考案は、先部軸筒と後部軸筒の相対的な回動によりシャープペン（筆記具）を露外筒から呈するものであり、軸全体を回動するものである。こうしたものは、片手での回動はしずらく、シャープペンシル（筆記具）の交換を迅速に、容易に行うことが出来ない。
【０００４】
（ロ）は、シャープペンシルとたの筆記具を軸筒内に収納した多芯タイプの筆記具であり、軸筒を先部軸筒と後部軸筒からなるものであり、後部軸筒には回転カムを収納し両者（先部軸筒と後部軸筒）の回動により筆記具を外筒から露呈するものであり、前記した（イ）と同様な問題点を呈するものである。
【０００５】
（ハ）は、シャープペンシルとその他の筆記具（ボールペンやシャープペンシル）を胴内に収納する多芯タイプの筆記具であり、（ハ）の考案の目的としては本発明と同様なデザイン性を自由に生かせた筆記具とするためのものでもある。その為、鞘と胴を同径として、出没カムと鞘が摺動可能にしたものである。筆記具を胴の先端より露呈させるのには鞘及び出没カムを右に回転させる。次に他方の筆記具を露呈させるには鞘を左に回転させる。
しかしこうした筆記具は鞘と胴を同径としているのみでやはり、鞘に対して胴を相対的に回動させなければならず片手で迅速、容易に操作するにはいたらない。鞘全体を回動させる為、鞘の後部に印判等の使用時に方向性を必要とする筆記具に対しては不向きである。
【０００６】
（ニ）は、回転繰出式ボールペンに関するものであり、軸筒の後方にラジオモジュールが内蔵されたラジオ付ボールペンである。（ニ）の考案は大先を回転させることにより内部の作動管を回動させ、外螺子と作動管の内螺子とが噛合いレフィールを前後動させ口金から筆記先端を露呈する。（ニ）考案は、螺子によりレフィールを直接前後させるものであるが、不用意に大先に接触したり、筆記するとその圧力で緩み筆記具先端を口金から中に没入したりする。
【０００７】
（ホ）は、軸の中に３本の筆記体を収納して、軸を回転することにより３本の筆記体を出没・収納可能にした筆記具である。（ホ）考案も先軸とキャップを回転させ筆記具の選択を行い、前記（イ）、（ロ）、（ハ）と同様な問題を生じる。
【０００８】
（へ）は、シャープペンシルとボールペンを内蔵する多芯タイプの筆記具である。
（へ）も前記先願と同様上部軸ケースと下部軸ケースの２部品からなり下部軸ケース内に設けられた作動カムを設けており、作動カムの回動により筆記体を下部軸ケースの先端から出没、収納させるものである。したがって前記先願（イ）、（ロ）、（ハ）、（ホ）、（へ）と同様な問題点を呈する。
【０００９】
（ト）は、前記（へ）と同様に軸筒が内筒と外筒の２部品構成になっており、外筒の内部には円筒カム部が設けられており、外筒の回動と共に筆記体の先端を内筒先端より露呈させるものである。
以上のような先願から、軸部材を２部品としており、どちらかの部品を回動することによって内部の筆記体を軸部材先端より出没、収納を行わせており、これらは片手では迅速に、また容易に作動させることができない。
【００１０】
また、こうした２部品に分割した軸部材の上方に印判等の使用時に方向性が生じるものを有する複合筆記具においては、方向性を固定することが難しいばかりか、使用安定度にも不都合なものとなっていた。更には、部品加工も容易で組み立てやすく、本発明は先願とは構成が全く異なることはもちろんである。
【００１１】
【発明が解決しようとする課題】
以上のような先願より本発明が解決しようとする課題は、（１）軸部材を２部品としており、どちらかの部品を回動することによって内部の筆記体を軸部材先端より出没、収納を行わせており、これらは片手では迅速に、また容易に作動させることができない。（２）また、こうした２部品に分割した軸部材の下方（筆記体先端が出没する側と反対側）に印判等の使用時に方向性が生じるものを有する複合筆記具においては、方向性を固定することが難しいばかりか、安定度にも不都合なものとなっていた。
【００１２】
（３）部品加工も容易で組み立てやすく、先願とは本発明は構成が全く異なることはもちろんである。
と言った課題により、片手で容易に筆記体の出没、収納を可能にした筆記具ばかりか、軸部材の下方に印判等が設けることが出来る、使い勝手の良い多機能筆記具を提供するものである。
【００１３】
【課題を解決するための手段】
上記の課題を解決するために完成された第１の発明の筆記具は、本体の内部に弾発部材により常時後方に弾発支持された筆記具先端を有するレフィールを配し、前記レフィールに凸部を設け、前記本体の内周面には誘導溝が設けられ、前記誘導溝により誘導されるように回転カムの突起を配設し、前記回転カムの後方、前記誘導溝内には摺動カムの突起を配置させ、更に前記摺動カムの後方には前端部が摺動カムに当接した回転変換部材を配置し、前記レフィールは、前記回転カム、摺動カム、回転変換部材を挿通し、更に前記回転変換部材の外周には内壁に回転凸部を設けた回転操作体を配置した筆記具であって、前記回転変換部材の表面には変換凸部が本体の切欠き窓に位置し、切欠き窓を覆い隠し回転自在に回転操作体を設け、前記回転操作体に回転を与えると回転凸部と変換凸部が少なくとも筆記具先端が突出及び収納作動時、両者が当接することにより、前記回転変換部材が前方に押圧され、摺動カムを押圧し前端が前記凸部に当接している回転カムを回転させながら前方に押圧し、レフィールの筆記具先端を露呈及び収納することを特徴とする。
【００１４】
また、第２の発明は、本体の回転変換部材の外周に回転操作体を配置し、回転操作体の内周面に回転凸部を設け、前記回転凸部の高さを前記本体の配置部分の肉厚より小さくして回転凸部を切欠き窓のある部分にのみ作用するようにしたことを特徴とする第１の発明の筆記具である。
【００１５】
また、第３の発明は、本体を２部品とし、回転操作体の内周面に２ヶ所以上の回転誘導片を設け、前記回転誘導片の少なくとも一方を本体の２部品で回転操作体を回転可能に挟着保持したことを特徴とする第１の発明又は第２の発明の筆記具である。また、第４の発明は、回転操作体の左右方向どちらでも回転変換部材が作用するような変換凸部を設けたことを特徴とするする第１の発明又は第２の発明又は第３の発明の筆記具である。
【００１６】
【実施例】
本発明の第１の実施例を図１、図２、図３、図４、図５、図６、図７、図８、図９より詳細に説明する。
１は、本体であり、下部本体１Ａと上部本体１Ｂの２部品からなり、前記２部品は螺子嵌合であるが、クリック嵌合等、2部品が嵌合されれば、取り外し可能又は不可能であってもどのような嵌合方法も選択できるものである。本体内周面には誘導溝が設けられており摺動カム及び回転カムを誘導している。また、下部本体１Ａの下方端部に先端部材２を螺子嵌合されており、前記先端部材２の内周面には、弾発支持片３を設け、筆記具先端を露呈する孔４を設けている。更に下部本体１Ａには切欠き窓６を２ヶ所設け、外周面には回動誘導溝５を周状に並行に設けており、加えて回転凹部２５を周状に設ける。
【００１７】
７は、インキを有したレフィールであり、下方には筆記可能な筆記具先端を設けており、弾発部材１２を支持し、回転カムを規制する凸部８を設けている。こうして、弾発部材１２の一方端は凸部８に、他方端は弾発支持片に支持され、弾発力により前記レフィール７は上方方向に常に押圧される。
レフィール７は、回転カム９、摺動カム１０、回転変換部材１１を挿通、若しくは、覆い隠されている。
【００１８】
９は、回転カムであり、中心にレフィール７を挿通しており、外周面には均一に３ヶ所に可動突起１３が設けられ、下部本体１Ａの内周面に設けた誘導溝１４により誘導される。１０は、摺動カムであり、中心にレフィール７を挿通しており、外周面には均一に３ヶ所に送り突起１５が設けられている。前記送り突起１５は、下部本体１Ａの内周面に設けた誘導溝１４を上下に摺動する。また、摺動カム１０の下方端面には鋸歯状部１６が設けられており、前記鋸歯状部１６と前記可動突起１３の上端面に当接されており、この時筆記具先端は先端部材２から露呈されている。前記回転カム９及び摺動カム１０は、従来よりある周知の構成部材である。
【００１９】
１１は、回転変換部材であり、前記回転カム９、摺動カム１０と同様レフィール７を挿通しており、前記摺動カム１０の上方端面と下方端面と常に当接されている。
また、回転変換部材１１の外周面にはスパイラル状の変換凸部１７が設けられ、本体１に設けた切欠き窓６に位置している。変換凸部１７と切欠き窓６の個数は同数である。
スパイラル状の変換凸部１７とは、一方端と他方端との位置が異なった形態であり、スパイラルの一部を切取った形態である。したがってどちらかの端が上位置となりその反対が下位置になる。
【００２０】
１８は、回転操作体であり、内周面に回転凸部１９を設けており、更に回転誘導片２０を上方、下方の両サイドに分かれて２ヶ所設けられている。前記回転誘導片２０は下部本体１Ａの外周面に設けられた回動誘導溝５に配置される。また、前記回転凸部１９は、前記回転凹部２５を設けておりこの中に配置されている。回転凹部２５は切欠き窓６と連通しており、切欠き窓６の存在しない部分で前記回転凹部２５が存在する。
【００２１】
本実施例では、上下に分かれた回転誘導片２０の間に回転凸部１９が設けられているが特にその位置は問わない。前記回転凸部１９は、前記変換凸部１７の上方位置に当接位置しており、前記回転操作体１８を回転させることにより、前記回転凸部１９は同位置で回転するので、当接している変換凸部１７を下方方向に押圧する。こうして、筆記具先端を先端部材より露呈することになる。
本実施例は、前記回転誘導片２０の上方側を、上部本体１Ｂの下方端面により固定している。更に上部本体１Ｂの内周面に回転変換部材１１を位置決めする支持片２２を設けても良い。
【００２２】
回転操作体１８が設けられている本体１の厚さＨ、と回転凸部１９の高さＳ、回転凹部２５の深さＴ及び変換凸部１７の高さＬとの関係は次の通りである。
Ｈ＞Ｔ≧Ｓであり、Ｓ＋Ｌ＞Ｈの関係が生じる。
この関係より、回転凸部１９は本体１に設けられた切欠き窓６以外は回転凹部２５を回動することになる。
【００２３】
次に本実施例の作用を詳細に述べる。
回転変換部材１１に設けた変換凸部１７の上辺２１の上方に常に回転凸部１９が位置している様に、前記回転変換部材１１が上方限度規制されている。本実施例は支持片２２を上部本体１Ｂの下方開口端近傍に設けているが、別部材としても良い。
図４の位置ではレフィール７、回転カム９、摺動カム１０及び回転変換部材１１を上方に弾発部材１２により押圧支持されている。この状態を状態１とする。また回転凸部１９の位置は図９に示されたそれぞれの状態で回転変換部材１１を下方に押しやる。
この時送り突起１５と可動突起１３は誘導溝１４の長誘導溝２３に位置しており、鋸歯状部１６と可動突起１３が当接している。
【００２４】
この状態１から次に、回転操作体１８を時計と同方向に回転させると本体１の切欠き窓６で回転凸部１９が変換凸部１７の上辺２１より上方位置にあるため、前記回転凸部１９はスパイラル状の変換凸部１７の上辺２１を押圧し、弾発部材１２の弾発力に抗して前記回転変換部材１１が下方に移動し、それにともなって摺動カム１０、回転カム９が下方位置に移動する。すると可動突起１３は、長誘導溝２３から出る。この状態を状態２とし、筆記具先端が先端部材２より露呈する。（図５）
この時回転凸部１９はスパイラル状の変換凸部１７の最上方位置に位置することになる。
【００２５】
状態２から前記可動突起１３は、長誘導溝２３から出ているので、短誘導溝２４の傾斜面によりすべり回転カム９が回転し始める。そして短誘導溝２４の係止位置で可動突起１３は固定される。弾発部材１２の弾発力のすべては回転カム９が受けている状態で、筆記具先端を先端部材２より露呈した状態を筆記可能に固定する。回転カム９が回転を始めると回転凸部１９と変換凸部１７の当接は解除される。この状態を状態３とする。（図６）
この時、摺動カム１０と回転変換部材１１は上下移動自由な状態となっている。
【００２６】
筆記具先端を先端部材２より露呈した状態３から、回転操作体１８を前記と同様の方向即ち、時計方向に回転させると前記回転凸部１９が変換凸部１７に当接しながら、回転変換部材１１を下方位置に移動し、同時に摺動カム１０を下方に移動し、回転カム９を下方位置に弾発部材１２の弾発力に抗して押圧し始める。この作用でレフィール７を下方に再度押し出す。同時に鋸歯状部１６が可動突起１３を下方に押圧し第2傾斜面により前記可動突起１３が当接する。この状態を状態４とする。（図７）
この状態４の時、変換凸部１７の最上方位置の端に位置し、筆記具先端を先端部材２の孔４から最大長さ露呈する。
【００２７】
最後に第２傾斜面により可動突起１３は次の誘導溝に導かれる。すると回転カム９は回転することとなり状態１に戻り筆記具先端を先端部材２の中に収納されることになる。
第１の実施例は以上のような構成であるので回転操作体１８を片手で迅速に、また容易に作動させることができる。また上部本体１Ｂは従来のように回動しないので前記上部本体１Ｂに印判等の方向性が必要な部材を設けることが出来る。
図９の図面は、第１の実施例の回転凸部１９のそれぞれの状態図を示すものである。
【００２８】
第２の実施例を図１０、図１１より詳細に説明する。特に第１の実施例と比較して異なる部分を詳細に説明する。
１１１は、回転変換部材であり、外周面に変換凸部１７７を２ヶ所設けている。本実施例は２ヶ所であるがこの個数は２ヶ所以上であればその数は問わない。本実施例の変換凸部１７７は、湾曲形状等の最上方位置が設けられている形状であれば良い。一方端と他方端の位置は本実施例は同等位置であるが、回転凸部１９より下方位置に位置していればよい。
【００２９】
第２の実施例の作用を説明すると、筆記具先端が先端部材２に収納されている状態の時は、回転凸部１９は変換凸部１７７の両端より上方位置に位置している。この状態を状態１とする。この状態から回転操作体１８を片手（親指と人指し指）で左右どちらかに回動させると、切欠き窓６に位置している変換凸部１７７の上辺２１１に押圧当接しながら、弾発部材１２の弾発力に抗して、回転カム９、摺動カム１０、回転変換部材１１を下方に押圧する。
すると第１の実施例と同様に状態１から状態２、状態３へと変化する。この状態３は、筆記具先端を先端部材２から露呈し、筆記可能状態になる。
図１１の図面は、第２の実施例の回転凸部１９のそれぞれの状態図を示すものである。
【００３０】
次に回転操作体１８を左右どちらかに回動させると、変換凸部１７７の最上方位置のとき誘導溝１４の第２傾斜面に当接可能となり、前記第２傾斜面に沿って回転カム９が回動し始め、この時の状態４となる。その後、長誘導溝２３に滑り込み、状態１となる。
【００３１】
第２の実施例は以上の構成であるので、回転操作体１８を片手で迅速に、また容易に作動させることができる。また上部本体１Ｂは従来のように回動しないので前記上部本体１Ｂに印判等の方向性が必要な部材を設けることが出来る。
更に回転操作体１８を左右どちらに回転しても筆記具先端の出没、露呈固定、及び先端部材２への収納が可能である。
【００３２】
第３の実施例は第２の実施例の変形であり、変換凸部１７７の最上方位置を角状とした形態である。これが図１２である。また第３の実施例に係らずこうした最上方位置を設けた変換凸部１７７を設けることは本実施例と同様である。
【００３３】
本発明の筆記具の組み立て方法は、下部本体１Ａの中に摺動カム１０を入れる。その後上部本体１Ｂが組み付けられる開口端より回転変換部材１１を切欠き窓６と変換凸部１７の位置を合わせて挿入する。次に回転操作体１８の回転誘導片２０を縦組立溝２６に合わせて、下方に移動させ回転誘導片２０が回動誘導溝５に位置するように組みつける。この時、回転誘導片２０は図１４の様に上下列に４列あるのでこの場合は組み付け挿入に際し、縦組立溝２６が４本必要となる。ここで、図１４中、回転誘導片２０の手前の一列と、図１３中、縦組立溝２６の後方の二列は図面上見えていない。下部本体１Ａの下方より回転カム９及びレフィール７を、前記回転操作体１８、摺動カム１０、回転カム９の中心を挿通するように本体内に挿入し、その下方から弾発部材１２を前記レフィール７に挿通するように組み入れ、更に下方より先端部材２を下部本体１Ａの下端面に螺子嵌合して組み付けられる。
【００３４】
最後に、下部本体１Ａの上方開口端に上部本体１Ｂを螺子嵌合等を行い固定する。この時上部本体１Ｂの開口端は、回転操作体１８の回転誘導片２０を抜け止めし、回転可能に保持する。それと同時に、上部本体１Ｂの内周面に回転変換部材１１を位置決めする支持片２２を設けている。こうして筆記体として完成する。
【００３５】
【効果】
以上のような構成であるので、回転操作体１８を片手で迅速に、また容易に作動させることができる。また上部本体１Ｂは従来のように回動しないので前記上部本体１Ｂに印判等の方向性が必要な部材を設けることが出来る。
更には、第２又は第３の実施例の如く回転変換部材１１を用いることで左右どちらの回転でも筆記具先端を出没、露呈し、不使用時には収納できる。
部品も本体を２部品としているので組み付け易く、取扱いやすいものとなっている。
【００３６】
【図面の簡単な説明】
【図１】本発明の実施例の全体斜視図。
【図２】本発明の第１の実施例の分解斜視説明図。
【図３】本発明の第１の実施例の断面図。
【図４】本発明の実施例の可動突起１３、送り突起１５、誘導溝１４の状態１の略説明図。
【図５】本発明の実施例の可動突起１３、送り突起１５、誘導溝１４の状態２の略説明図。
【図６】本発明の実施例の可動突起１３、送り突起１５、誘導溝１４の状態３の略説明図。
【図７】本発明の実施例の可動突起１３、送り突起１５、誘導溝１４の状態４の略説明図。
【図８】本発明の第１の実施例の回転変換部材１１の斜視図。
【図９】本発明の第１の実施例の変換凸部１７、回転凸部１９の状態説明図。
【図１０】本発明の第２の実施例の回転変換部材１１１の斜視図。
【図１１】本発明の第２の実施例の変換凸部１７、回転凸部１９の状態説明図。
【図１２】本発明の第３の実施例の変換凸部１７、回転凸部１９の状態説明図。
【図１３】本発明の実施例の縦組立溝２６を設けた状態の説明図。
【図１４】本発明の実施例の回転操作体１８に設けられた回転誘導片２０、回転凸部１９の状態説明図。
【図１５】本発明の実施例の回転凸部１９、回転凹部２５、変換凸部１７の寸法関係の説明図。
【符号の説明】
１ ：本体
１Ａ：下部本体
１Ｂ：上部本体
２ ：先端部材
３ ：弾発支持片
４ ：孔
５ ：回動誘導溝
６ ：切欠き窓
７ ：レフィール
８ ：凸部
９ ：回転カム
１０ ：摺動カム
１１ ：回転変換部材
１２ ：弾発部材
１３ ：可動突起
１４ ：誘導溝
１５ ：送り突起
１６ ：鋸歯状部
１７ ：変換凸部
１８ ：回転操作体
１９ ：回転凸部
２０ ：回転誘導片
２１ ：上辺
２２ ：支持片
２３ ：長誘導溝
２４ ：短誘導溝
２５ ：回転凹部
２６ ：縦組立溝
【図１】
0004027692.tif 000002
【図２】
0004027692.tif 000003
【図３】
0004027692.tif 000004
【図４】
0004027692.tif 000005
【図５】
0004027692.tif 000006
【図６】
0004027692.tif 000007
【図７】
0004027692.tif 000008
【図８】
0004027692.tif 000009
【図９】
0004027692.tif 000010
【図１０】
0004027692.tif 000011
【図１１】
0004027692.tif 000012
【図１２】
0004027692.tif 000013
【図１３】
0004027692.tif 000014
【図１４】
0004027692.tif 000015
【図１５】
0004027692.tif 000016